(57)【要約】【課題】プルアウトを抑制することのできるダンプトラックを提供する。【解決手段】フレーム（２）と、ヒンジピン（４）と、荷台（１）と、ホイストシリンダ（３）とを備えたダンプトラックにおいて、索状体、鎖状体、または帯状体の何れか１つから成る張力伝達部材（９）と、この張力伝達部材の巻き取りおよび巻き出しを行う巻取り装置（６、８）と、この巻取り装置にブレーキを掛けるブレーキ装置（７）と、張力伝達部材の一端を固定する固定部材（１０）と、巻取り装置およびブレーキ装置の作動を制御する制御装置（２０）とを有する張力付与装置を備えている。そして、制御装置は、荷台の上げ動作時にプルアウトが発生したときには、巻取り装置にブレーキを掛けるようブレーキ装置の作動を制御している。【選択図】図２
2011225111.tif 000002
【特許請求の範囲】
【請求項１】
フレームと、このフレームの後部に配置されたヒンジピンと、このヒンジピンを介して前記フレームに取り付けられた荷台と、この荷台を前記ヒンジピン回りに回動させるホイストシリンダとを備えたダンプトラックにおいて、
索状体、鎖状体、または帯状体の何れか１つから成る張力伝達部材と、この張力伝達部材の巻き取りおよび巻き出しを行う巻取り装置と、この巻取り装置にブレーキを掛けるブレーキ装置と、前記張力伝達部材の一端を固定する固定部材と、前記巻取り装置および前記ブレーキ装置の作動を制御する制御装置とを有する張力付与装置を備え、
前記フレームと前記荷台の一方に前記巻取り装置および前記ブレーキ装置を設けると共に、他方に前記固定部材を設け、
前記制御装置は、少なくとも前記張力伝達部材の巻き出し時に前記張力伝達部材に張力が付与されるように、前記荷台の回動に連動して前記張力伝達部材の巻き取りおよび巻き出しを行うように前記巻取り装置の作動を制御すると共に、前記荷台の上げ動作時にプルアウトが発生したときには、前記巻取り装置にブレーキを掛けるよう前記ブレーキ装置の作動を制御する
ことを特徴とするダンプトラック。
【請求項２】
フレームと、このフレームの後部に配置されたヒンジピンと、このヒンジピンを介して前記フレームに取り付けられた荷台と、この荷台を前記ヒンジピン回りに回動させるホイストシリンダとを備えたダンプトラックにおいて、
索状体、鎖状体、または帯状体の何れか１つから成る張力伝達部材と、この張力伝達部材の巻き取りおよび巻き出しを行う巻取り装置と、この巻取り装置にブレーキを掛けるブレーキ装置と、前記張力伝達部材の一端を固定する固定部材と、前記巻取り装置および前記ブレーキ装置の作動を制御する制御装置とを有する張力付与装置を備え、
前記フレームと前記荷台の一方に前記巻取り装置、前記ブレーキ装置および前記固定部材を設けると共に、他方に前記張力伝達部材の巻き取りを案内するためのガイド部材を設け、
前記制御装置は、少なくとも前記張力伝達部材の巻き出し時に前記張力伝達部材に張力が付与されるように、前記荷台の回動に連動して前記張力伝達部材の巻き取りおよび巻き出しを行うように前記巻取り装置の作動を制御すると共に、前記荷台の上げ動作時にプルアウトが発生したときには、前記巻取り装置にブレーキを掛けるよう前記ブレーキ装置の作動を制御する
ことを特徴とするダンプトラック。
【請求項３】
請求項１または２の記載において、
前記ホイストシリンダの変位速度を検知する変位速度検知手段を備え、
前記制御装置は、前記変位速度検知手段が検知した変位速度の値が予め定めた変位速度の閾値を超えた場合に、前記巻取り装置にブレーキを掛けるように前記ブレーキ装置の作動を制御する
ことを特徴とするダンプトラック。
【請求項４】
請求項１または２の記載において、
前記ホイストシリンダの圧力を検知する圧力検知手段を備え、
前記制御装置は、前記圧力検知手段が検知した圧力の変動値が予め定めた圧力変動の閾値を超えた場合に、前記巻取り装置にブレーキを掛けるように前記ブレーキ装置の作動を制御する
ことを特徴とするダンプトラック。
【請求項５】
請求項１〜４のいずれか１項の記載において、
前記ホイストシリンダの変位を検知する変位検知手段を備え、
前記制御装置は、前記変位検知手段が検知した変位の値に基づいて前記巻取り装置による前記張力伝達部材の巻き取り量および巻き出し量を制御する
ことを特徴とするダンプトラック。
【請求項６】
請求項１〜４のいずれか１項の記載において、
前記荷台の回動角度を検知する角度検知手段を備え、
前記制御装置は、前記角度検知手段が検知した回動角度の値に基づいて前記巻取り装置による前記張力伝達部材の巻き取り量および巻き出し量を制御する
ことを特徴とするダンプトラック。
【発明の詳細な説明】
【技術分野】
【０００１】
本発明は、土砂等の運搬対象物を運搬するダンプトラックに関し、特に、ダンプトラックの荷台上げ（ホイスト上げ）動作時に発生するホイストシリンダの衝撃的な伸び動作であるプルアウトを抑制するのに好適なものである。
【背景技術】
【０００２】
建設機械用の大型のダンプトラックは、本体となるフレームと、土砂等を積み込むための荷台とを備えており、フレームと荷台はホイストシリンダとヒンジピンで連結されている。そして、ホイストシリンダを伸縮動作させると、荷台がフレームに対してヒンジピンを支点に上下方向に回動するようになっている。このホイストシリンダの駆動は、油圧によって行われている。具体的には、圧油を供給する油圧ポンプと、この油圧ポンプとホイストシリンダの間に配置され、ホイストシリンダの作動を抑制する方向制御弁（ホイストバルブとも言う）とにより、ホイストシリンダの作動が制御されている。
【０００３】
ところで、ダンプトラックの荷台上げ動作時に、荷台の回動角度が所定角度を超えたときに、荷台上の土砂等の塊が急激に落下することに伴うホイストシリンダの衝撃的な伸び動作、即ちプルアウトが発生することあがる。このプルアウトを抑制するために、例えば、特許文献１には、方向制御弁に絞りを設けた技術が開示されている。この特許文献１に記載の技術によれば、方向制御弁に設けられた絞りにより、タンクに戻される油の流量を緩やかにすることができるので、急激なホイストシリンダの伸び動作、即ちプルアウトを抑えることができる。
【先行技術文献】
【特許文献】
【０００４】
【特許文献１】特開２００７−６２６９７号公報
【発明の概要】
【発明が解決しようとする課題】
【０００５】
しかしながら、荷台上げ動作時の上げ速度が速すぎる場合や、荷台に積載されている運搬対象物の粘性が高く、荷台上げ時（ホイスト上げ時）に運搬対象物の塊が急激に落下する場合、あるいはホイストシリンダの仕様や荷台の形状のバランスが悪い場合には、上記従来の技術をもってしても、プルアウトが生じる可能性がある。プルアウトが生じると、ホイストシリンダがストロークエンドまで急激に伸びてしまい、その衝撃反動でホイストシリンダや荷台、フレームなどに過大荷重が掛かり、寿命低下を引き起こすと共に、オペレータの乗り心地低下も招いてしまうこととなる。
【０００６】
さらに、プルアウトが生じると、その反動でホイストシリンダが一瞬急激に反転して収縮方向に動かされるキックバックという現象が生じる。このキックバックは、プルアウト時のホイストシリンダ伸長に伴ってホイストシリンダ内の圧力が下がるため、その下がった圧力を戻そうとしてホイストシリンダが収縮するよう一瞬急激に動作することによって生じる現象である。このキックバックによっても、荷台に急激な衝撃が与えられるため、寿命低下や乗り心地悪化を招くこととなる。
【０００７】
本発明は、上記した実情を鑑みてなされたものであり、その目的は、プルアウトを抑制することのできるダンプトラックを提供することにある。
【課題を解決するための手段】
【０００８】
上記目的を達成するため、第１の発明は、フレームと、このフレームの後部に配置されたヒンジピンと、このヒンジピンを介して前記フレームに取り付けられた荷台と、この荷台を前記ヒンジピン回りに回動させるホイストシリンダとを備えたダンプトラックにおいて、索状体（例えば、ワイヤ、紐など）、鎖状体（例えば、チェーンなど）、または帯状体（例えば、ベルトなど）の何れか１つから成る張力伝達部材と、この張力伝達部材の巻き取りおよび巻き出しを行う巻取り装置と、この巻取り装置にブレーキを掛けるブレーキ装置と、前記張力伝達部材の一端を固定する固定部材と、前記巻取り装置および前記ブレーキ装置の作動を制御する制御装置とを有する張力付与装置を備え、前記フレームと前記荷台の一方に前記巻取り装置および前記ブレーキ装置を設けると共に、他方に前記固定部材を設け、前記制御装置は、少なくとも前記張力伝達部材の巻き出し時に前記張力伝達部材に張力が付与されるように、前記荷台の回動に連動して前記張力伝達部材の巻き取りおよび巻き出しを行うように前記巻取り装置の作動を制御すると共に、前記荷台の上げ動作時にプルアウトが発生したときには、前記巻取り装置にブレーキを掛けるよう前記ブレーキ装置の作動を制御することを特徴としている。
【０００９】
第１の発明によれば、プルアウトが発生すると巻取り装置にブレーキが掛かって、荷台の起き上がる方向への回動が張力伝達部材によって物理的に制限されるため、ホイストシリンダがストロークエンドまで急激に伸びる現象、即ちプルアウトを抑制することができる。また、プルアウトが抑制されるので、ホイストシリンダや荷台、フレームなどに過大な荷重が掛かることが防止され、ダンプトラックの長寿命化が図られると共に、オペレータは安定した乗り心地を得ることができることとなる。さらに、第１の発明は、プルアウトを抑制できるため、キックバックが生じることも未然に防止することができることとなる。
【００１０】
また、第２の発明は、フレームと、このフレームの後部に配置されたヒンジピンと、このヒンジピンを介して前記フレームに取り付けられた荷台と、この荷台を前記ヒンジピン回りに回動させるホイストシリンダとを備えたダンプトラックにおいて、索状体（例えば、ワイヤ、紐など）、鎖状体（例えば、チェーンなど）、または帯状体（例えば、ベルトなど）の何れか１つから成る張力伝達部材と、この張力伝達部材の巻き取りおよび巻き出しを行う巻取り装置と、この巻取り装置にブレーキを掛けるブレーキ装置と、前記張力伝達部材の一端を固定する固定部材と、前記巻取り装置および前記ブレーキ装置の作動を制御する制御装置とを有する張力付与装置を備え、前記フレームと前記荷台の一方に前記巻取り装置、前記ブレーキ装置および前記固定部材を設けると共に、他方に前記張力伝達部材の巻き取りを案内するためのガイド部材を設け、前記制御装置は、少なくとも前記張力伝達部材の巻き出し時に前記張力伝達部材に張力が付与されるように、前記荷台の回動に連動して前記張力伝達部材の巻き取りおよび巻き出しを行うように前記巻取り装置の作動を制御すると共に、前記荷台の上げ動作時にプルアウトが発生したときには、前記巻取り装置にブレーキを掛けるよう前記ブレーキ装置の作動を制御することを特徴としている。
【００１１】
第２の発明によれば、プルアウトが発生すると巻取り装置にブレーキが掛かって、荷台の起き上がる方向への回動が張力伝達部材によって物理的に制限されるため、ホイストシリンダがストロークエンドまで急激に伸びる現象、即ちプルアウトを抑制することができる。また、プルアウトが抑制されるので、ホイストシリンダや荷台、フレームなどに過大な荷重が掛かることが防止され、ダンプトラックの長寿命化が図られると共に、オペレータは安定した乗り心地を得ることができることとなる。さらに、第２の発明は、プルアウトを抑制できるため、キックバックが生じることも未然に防止することができることとなる。
【００１２】
また、第３の発明は、上記構成において、前記ホイストシリンダの変位速度を検知する変位速度検知手段を備え、前記制御装置は、前記変位速度検知手段が検知した変位速度の値が予め定めた変位速度の閾値を超えた場合に、前記巻取り装置にブレーキを掛けるように前記ブレーキ装置の作動を制御することを特徴としている。この発明によれば、簡単な制御でプルアウトを抑制できる利点がある。
【００１３】
また、第４の発明は、上記構成において、前記ホイストシリンダの圧力を検知する圧力検知手段を備え、前記制御装置は、前記圧力検知手段が検知した圧力の変動値が予め定めた圧力変動の閾値を超えた場合に、前記巻取り装置にブレーキを掛けるように前記ブレーキ装置の作動を制御することを特徴としている。この発明によれば、簡単な制御でプルアウトを抑制できる利点がある。
【００１４】
また、第５の発明は、上記構成において、前記ホイストシリンダの変位を検知する変位検知手段を備え、前記制御装置は、前記変位検知手段が検知した変位の値に基づいて前記巻取り装置による前記張力伝達部材の巻き取り量および巻き出し量を制御することを特徴としている。この発明によれば、張力伝達部材の巻き取り量および巻き出し量の制御を簡単なものにすることができる利点がある。
【００１５】
また、第６の発明は、上記構成において、前記荷台の回動角度を検知する角度検知手段を備え、前記制御装置は、前記角度検知手段が検知した回動角度の値に基づいて前記巻取り装置による前記張力伝達部材の巻き取り量および巻き出し量を制御することを特徴としている。この発明によれば、張力伝達部材の巻き取り量および巻き出し量の制御を簡単なものにすることができる利点がある。
【００１６】
また、上記構成において、前記荷台が前記フレームに着座していることを検知する着座検知手段を備え、前記フレームに前記荷台が着座していることを前記着座検知手段が検知した場合には、前記制御装置は、前記張力伝達部材に張力を付与した状態に保持するように、前記巻取り装置および前記ブレーキ装置の作動を制御するようにするのが好ましい。荷台がフレームから浮き上がることを防止できるからである。
【発明の効果】
【００１７】
このように、上記した発明によれば、張力付与装置によってプルアウトが抑制されるので、ダンプトラックの寿命を長くすることができ、プルアウトによる乗り心地の低下も防止することができる。また、プルアウトが抑制されるため、プルアウトの反動で生じるキックバックも未然に防ぐことができる。
【図面の簡単な説明】
【００１８】
【図１】本発明の第１の実施の形態例に係るダンプトラックの側面図であって、荷台が倒伏姿勢にある状態を示す側面図である。
【図２】図１に示すダンプトラックの要部の側面図であって、荷台が起立姿勢にある状態を示す側面図である。
【図３】図１に示すダンプトラックの要部の鳥瞰図であって、荷台が起立姿勢にある状態を示す鳥瞰図である。
【図４】図１に示すダンプトラックの電気的構成の概略を示すブロック図である。
【図５】図４に示す制御装置がプルアウト発生時に行う制御処理の手順を示すフローチャート図である。
【図６】本発明の第２の実施の形態例に係るダンプトラックの要部の鳥瞰図であって荷台が起立姿勢にある状態を示す鳥瞰図である。
【図７】本発明の第３の実施の形態例に係るダンプトラックの要部の鳥瞰図であって、荷台が起立姿勢にある状態を示す鳥瞰図である。
【発明を実施するための形態】
【００１９】
以下、本発明の第１の実施の形態例について図面を参照して説明する。本発明の第１の実施の形態例に係るダンプトラックは、図１に示すように、本体を形成するフレーム２と、このフレーム２の前側位置に配置される運転室３０と、前輪３１及び後輪３２と、フレーム２の後方部分に設けられたヒンジピン４を回動中心として上下方向に回動可能な荷台１と、この荷台１を上下方向に回動させる左右一対のホイストシリンダ３とを備えて構成されている。そして、オペレータが運転室３０からホイストシリンダ３を駆動すると、荷台１は、ホイストシリンダ３の伸縮動作に伴って、フレーム２に着座する倒伏姿勢と土砂などを放土する起立姿勢との間をヒンジピン４回りに回動するようになっている。なお、ヒンジピン４は、フレーム２に設けられたフレーム側連結穴（図示せず）に挿通されている。
【００２０】
また、荷台１にはガイド５が設けられ、フレーム２にはガイド５と当接するガイド当て（図示せず）が設けられている。荷台１がフレーム２に着座した倒伏姿勢の状態で、荷台１が鉛直方向を軸として回転した（別言すれば、ダンプトラックの正面から見て左右方向に移動した）際には、ガイド５がガイド当てに当接することにより荷台１の左右方向への移動は防止される。
【００２１】
また、荷台１の底面には、フレーム２に着座したときの衝撃を緩和するためのパッド５ａが複数個取り付けられている（図２参照）。このパッド５ａはゴム系材料から成り、方形の板状に形成されている。パッド５ａとフレーム２との間の摩擦力により、荷台１がフレーム２上に安定した姿勢で着座できるようになっている。
【００２２】
さらに、ダンプトラックには、プルアウトを抑制するための張力付与装置が取り付けられている。この張力付与装置は、図２および図３に示すように、索状体の１つであるワイヤロープ（張力伝達部材）９と、このワイヤロープ９の巻き取りおよび巻き出しを行うウインチ８と、ウインチ８を回転駆動するウインチ用モータ６と、ウインチ用モータ６およびウインチ８の回転にブレーキを掛けるディスクブレーキ装置（ブレーキ装置）７と、ワイヤロープ９の一端を固定するためのブラケット（固定部材）１０と、制御装置２０（図４参照）を備えて構成されている。ここで、ウインチ８とウインチ用モータ６とが本発明の巻取り装置に相当する。
【００２３】
ウインチ８、ウインチ用モータ６およびディスクブレーキ装置７はフレーム２に設けられており、ブラケット１０は荷台１の底面の前部に設けられている。ワイヤロープ９は、一端がブラケット１０に固定され、他端がウインチ８に固定されており、ウインチ用モータ６を回転させることによりワイヤロープ９はウインチ８に巻き取られ、あるいは、巻き出されるようになっている。
【００２４】
ディスクブレーキ装置７は、ウインチ用モータ６の軸とウインチ８との連結部に設けられたディスクを挟むことによって、ウインチ用モータ６の回転を強制的に停止させる仕様となっており、ウインチ８とウインチ用モータ６との間に取り付けられている。
【００２５】
次に、第１の実施の形態例に係るダンプトラックの電気的構成の概略について図４を参照しながら説明する。図４に示すように、制御装置２０には、運転室３０からの指令信号が入力されるだけでなく、ホイストシリンダ３の変位速度を検知する変位速度センサ（変位速度検知手段）２１、ホイストシリンダ３の圧力を検知する圧力センサ（圧力検知手段）２２、ホイストシリンダ３の変位を検知する変位センサ（変位検知手段）２３、荷台１の回動角度を検知する角度センサ（角度検知手段）２４、荷台１がフレーム２に着座したことを検知する着座検知センサ（着座検知手段）２５、および荷台１の積載重量を検知する重量検知センサ（重量検知手段）が電気的に接続されており、これらの各センサ２１〜２６からの入力を受けて、ウインチ用モータ６およびディスクブレーキ装置７の作動を制御している。
【００２６】
次に、プルアウトが発生した場合の制御装置２０の具体的な制御処理の手順について、図５を参照しながら説明する。まず、制御装置２０は、現在、ホイストシリンダ３が動作中であるか否かをステップＳ１にて判断する。ステップＳ１でＹｅｓの場合には、ステップＳ２に進んで、制御装置２０は、ディスクブレーキ装置７によるブレーキを解除（ＯＦＦ）にする。次いで、ステップＳ３に進んで、制御装置２０は、変位センサ２３からの入力に基づいてホイストシリンダ３の変位を取得する。次いで、ステップＳ４に進み、制御装置２０は、ワイヤロープ９の巻き取り量および巻き出し量の計算および入力を行う。
【００２７】
ここで、制御装置２０は、ワイヤロープ９にほぼ一定の張力が付与されるように巻き取り量および巻き出し量の計算を行っている。即ち、荷台１が起き上がる方向に回動する場合には、ワイヤロープ９が荷台１によって引っ張られるように制御装置２０はワイヤロープ９の巻き出し量を計算して、ウインチ用モータ６の回転を制御する。また、荷台１が倒伏する方向に回動する場合には、ワイヤロープ９によって荷台１が引っ張られるように制御装置２０はワイヤロープ９の巻き取り量を計算して、ウインチ用モータ６の回転を制御する。
【００２８】
次いで、ステップＳ５に進み、制御装置２０は、現在、積荷の状態であるか否かを重量検知センサ２６からの入力に基づいて判断する。ステップＳ５でＹｅｓの場合には、ステップＳ６に進み、制御装置２０は、ホイストシリンダ３が荷台１の上げ動作を行っているか否かを運転室３０からの指令信号に基づいて判断する。ステップＳ６でＹｅｓの場合には、ステップＳ７に進み、制御装置２０は、ホイストシリンダ３の圧力変動（ΔＰ）の値が予め定めた圧力変動の閾値を超えたか否かを判断する。このステップＳ７でＹｅｓの場合には、プルアウトが発生したと判断できるため、制御装置２０はステップＳ８にて直ちにディスクブレーキ装置７を作動（ＯＮ）させて、ウインチ用モータ６とウインチ８の回転を急停止させる。すると、荷台１は上述したようにワイヤロープ９に張力が付与された状態で回動しているため、ワイヤロープ９によって荷台１の回動は阻止される。つまり、プルアウトが発生しても、荷台１がプルアウト発生時の姿勢からさらに起き上がる方向に回動することは防止されるのである。このように、ステップＳ８での処理により、ホイストシリンダ３がストロークエンドまで急激に伸びるのを抑制している。
【００２９】
次いで、ステップＳ９に進んで、制御装置２０は、ホイストシリンダ３の圧力変動の値が予め定めた圧力変動の閾値以下になったか否かを判断する。ステップＳ９でＹｅｓの場合には、ステップＳ１０に進み、制御装置２０は、ディスクブレーキ装置７によるブレーキを解除（ＯＦＦ）する。次いで、ステップＳ１１に進み、制御装置２０は、変位センサ２３からの入力に基づいてホイストシリンダ３の変位を取得する。次いで、ステップＳ１２に進み、制御装置２０は、ワイヤロープ９の巻き取り量および巻き出し量の計算および入力を行って、ステップＳ１に戻る。なお、このステップＳ１２では、プルアウト発生時のステップＳ８の処理によりワイヤロープ９には通常より大きな張力が掛かっているため、その過大な張力をプルアウト発生前と同等に戻すようにワイヤロープ９の巻き出し量が計算されることとなる。
【００３０】
なお、ステップＳ１でＮｏの場合は終了となり、ステップＳ５、ステップＳ６、ステップＳ７でＮｏの場合には、ステップＳ１へと戻る。また、ステップＳ９でＮｏの場合には、ステップＳ８に戻り、ディスクブレーキ装置７によるブレーキＯＮの状態が維持される。
【００３１】
以上、説明したように、第１の実施の形態例に係るダンプトラックによれば、プルアウトが抑制されるので、ホイストシリンダ３や荷台１、フレーム２などに過大な荷重が掛かることが防止され、ダンプトラックの長寿命化が図られる。また、プルアウトの発生が抑止されることから、オペレータは安定した乗り心地を得ることができる。しかも、プルアウトを抑制できるため、キックバックが生じることも未然に防止することができる。
【００３２】
（変形例１）
上記した第１の実施の形態例では、プルアウトの発生をホイストシリンダ３の圧力変動（ΔＰ）の値から判断したが、プルアウトが発生するとホイストシリンダ３の変位速度が通常に比べて著しく早くなる。この点に着目して、制御装置２０は、変位速度センサ２１の値が予め定めた変位速度の閾値を超えたか否かを判断し、超えている場合にディスクブレーキ装置７を作動させるようにしても良い。つまり、図５のステップＳ７において、「ホイスト圧力変動＞閾値？」を「変位速度＞閾値？」に置き換え、ステップＳ９において、「ホイスト圧力変動≦閾値？」を「変位速度≦閾値？」に置き換えこともできる。このように制御しても、プルアウトを抑制することができる。
【００３３】
（変形例２）
上記した第１の実施の形態例では、制御装置２０は、変位センサ２３からの入力に基づいてホイストシリンダ３の変位を取得し、その取得した値に基づいてワイヤロープ９の巻き取り量および巻き出し量の計算および入力を行うようにしたが、角度センサ２４からの入力に基づいて荷台１の回動角度を取得し、この取得した回動角度の値に基づいてワイヤロープ９の巻き取り量および巻き出し量の計算および入力を行うようにしても良い。この場合、図５のステップＳ３およびＳ１１で「ホイストシリンダ変位取得」を「荷台の回動角度取得」に置き換えれば良い。この構成によっても、ワイヤロープ９の巻き取り量および巻き出し量の計算は簡単に行える。
【００３４】
次に、本発明の第２の実施の形態例に係るダンプトラックについて説明するが、第１の実施の形態例に係るダンプトラックと同一構成のものについては、同一符号を付して、その説明は省略する。図６に示すように、第２の実施の形態例では、ウインチ８、ディスクブレーキ装置７、およびウインチ用モータ６がフレーム２に取り付けられているだけでなく、ワイヤロープ９の一端を固定するためのブラケット１０もフレーム２に取り付けられている。一方、荷台１の底面の前部には、ワイヤロープ９の巻き取りを案内するためのリング（ガイド部材）４１ａ、４１ｂが設けられている。リング４１ａとリング４１ｂとは正面視で左右にやや間隔を空けて設けられている。また、ウインチ８とブラケット１０も同様に正面視で左右にやや間隔を空けて設けられている。
【００３５】
そして、荷台１を起立姿勢にした状態でウインチ８、リング４１ａ、リング４１ｂ、ブラケット１０を直線で結ぶと四角形（略長方形）が形成され、ウインチ８とブラケット１０はその四角形の隣り合う角に位置している。
【００３６】
ワイヤロープ９の一端はブラケット１０に固定され、他端はリング４１ｂ、リング４１ａの順にリング内部を通ってウインチ８に固定されており、ウインチ用モータ６を回転駆動するとワイヤロープ９がリング４１ａ、４１ｂに案内されながら巻き取られ、あるいは巻き出されるようになっている。
【００３７】
このように構成されたダンプトラックによれば、ワイヤロープ９はリング４１ａ、４１ｂにも挿通しているので、ワイヤロープ９を巻き取っていくと、リング４１ａ、４１ｂの２箇所で荷台１を下向きに引っ張ることができる。よって、荷台１の浮き上がりを防止できるうえ、正面視で左右方向への荷台１のズレを防止するのにも効果的である。
【００３８】
次に、本発明の第３の実施の形態例に係るダンプトラックについて説明するが、第１の実施の形態例に係るダンプトラックと同一構成のものについては、同一符号を付して、その説明は省略する。図７に示すように、第３の実施の形態例では、ウインチ８、ディスクブレーキ装置７、およびウインチ用モータ６は荷台１の底面の前部に取り付けられており、ブラケット１０がフレーム２に取り付けられている。つまり、第３の実施の形態例では、ウインチ８、ディスクブレーキ装置７、およびウインチ用モータ６が取り付けられる位置と、ブラケット１０が取り付けられる位置とが第１の実施の形態例と逆になっている。この構成によっても、同様にプルアウトを抑止できる。
【００３９】
なお、上記の実施の形態例では張力伝達部材としてワイヤロープを用いたが、この構成に代えて、チェーン（鎖状体）やベルト（帯状体）を用いることも可能である。また、リングの個数、取り付け位置などは適宜変更可能であることは言うまでもない。
【００４０】
また、上記の実施の形態例では、ディスクブレーキ装置７を採用したが、ウインチ用モータ６をブレーキ付モータにすることでディスクブレーキ装置７の代用が可能である。
【００４１】
また、制御装置２０は、荷台１がフレーム２に着座したことを着座検知センサ２５が検知した場合には、その着座検知センサ２５の検知信号の入力を受けて、ウインチ用モータ６を駆動してワイヤロープ９に張力を付与した状態で、ディスクブレーキ装置７を作動させて、ワイヤロープ９に張力が付与された状態に保持するようにしても良い。この構成によれば、ワイヤロープ９に付与された張力によって、荷台１がフレーム２から浮き上がることが防止される。よって、ダンプトラックの走行中などに荷台１の浮き上がりによる荷台１とフレーム２の連結部等へのダメージが軽減されるといった利点がある。
【符号の説明】
【００４２】
１  荷台
２  フレーム
３  ホイストシリンダ
４  ヒンジピン
５  ガイド
５ａ  パッド
６  ウインチ用モータ（巻取り装置）
７  ディスクブレーキ装置（ブレーキ装置）
８  ウインチ（巻取り装置）
９  ワイヤロープ（張力伝達部材）
１０  ブラケット（固定部材）
２０  制御装置
２１  変位速度センサ（変位速度検知手段）
２２  圧力センサ（圧力検知手段）
２３  変位センサ（変位検知手段）
２４  角度センサ（角度検知手段）
２５  着座検知センサ
２６  重量検知センサ
３０  運転室
３１  前輪
３２  後輪
４１ａ、４１ｂ  リング（ガイド部材）
【図１】
2011225111.tif 000003
【図２】
2011225111.tif 000004
【図３】
2011225111.tif 000005
【図４】
2011225111.tif 000006
【図５】
2011225111.tif 000007
【図６】
2011225111.tif 000008
【図７】
2011225111.tif 000009